(57)【要約】【課題】  穴あけ位置に対し綴じ位置が異なる場合でも切換え作業が簡単にでき、サイズの異なる用紙でも所望の位置で穴あけと紙綴じを同時にまたは選択的に効率良く行うことができる穴あけ綴じ具を提供する。【解決手段】  基台Ｂ両側端に立設した一対のガイド板２ａ，２ｂには作動杆４の両端が上下方向に案内支持され、基台Ｂの中央の穴あけ具Ｐないし穴あけ具Ｐ両側の一対の紙綴じ具Ｓ１，Ｓ２の各操作レバー６ａ，６ｂには、作動杆４を選択的に把持する把持具１０ａ，１０ｂが設けられ、且つ一対の紙綴じ具１０ａ，１０ｂは、基台Ｂの中心Ｏに設けた相対移動機構Ｍにより相対的に移動可能とされて、それらの移動位置は位置決め手段Ｒにより位置決めされるよう構成され、各把持具８，１０ａ，１０ｂの選択的に開閉操作して作動杆４を上下に揺動操作することで、各穴あけ具Ｐ及び幅方向に位置決めされた紙綴じ具Ｓ１，Ｓ２を同時または個別に操作可能とされる。【選択図】  図１
0003124270.tif 000002
【実用新案登録請求の範囲】
【請求項１】
基台上面に位置決めされた用紙の所定位置に穴あけと紙綴じを、同時にまたは選択的に行うようにした穴あけ綴じ具において、
上記基台は、平板矩形状の筐体で構成されて、その上面には幅方向中央に穴あけ具が載置されると共に前記穴あけ具の両側には一対の紙綴じ具がそれぞれ載置されて成り、
前記基台両側端に立設した対向する一対のガイド板には、横長作動杆の両端が上下方向に案内支持されるとともに前記穴あけ具ないし一対の紙綴じ具の各操作レバーには、前記作動杆を選択的に把持すべく開閉可能な把持具が設けられ、且つ前記一対の紙綴じ具は、前記基台の幅方向中心に設けた相対移動機構により前記中心に対し相反する方向に移動可能とされるとともに、それらの移動位置は位置決め手段によりロック又はロック解除されるよう構成され、
前記各操作レバーの把持具を選択的に開閉操作して前記作動杆との係脱を行い、前記作動杆を上下に揺動操作することで前記各穴あけ具及び幅方向に位置決めされた紙綴じ具を同時に、または個別に操作可能とされるようにしたことを特徴とする穴あけ綴じ具。
【請求項２】
前記相対移動機構は、前記基台内部にあって、該基台の前方中央に回転自在に軸支されたピニオンギヤと、該ピニオンギヤを挟む前後外周に噛合して互いに反対方向に平行移動する一対のラックギヤとから成り、前記一対のラックギヤにはそれぞれ前記各紙綴じ具が止着されていることを特徴とする請求項１に記載の穴あけ綴じ具。
【請求項３】
前記位置決め手段は、少なくとも一方の前記ラックギヤには、前記ピニオンギヤと噛合する面の背面側にも噛合い歯が形成され、該背面側の噛合い歯に係合離脱可能な係合部材と、該係合部材を前記噛合い歯に対し弾力的に押圧付勢する押圧手段と、該押圧手段の付勢力に抗して前記係合部材を前後に揺動操作して前記噛合い歯との係合を解除すべく前記基台上面に設けた操作レバーとから構成されていることを特徴とする請求項１に記載の穴あけ綴じ具。
【請求項４】
前記位置決め手段は、少なくとも一方の前記ラックギヤの上面を押圧手段により弾力的に押圧する押圧部材と、該押圧部材を押圧付勢力に抗して上方に移動し前記ラックギヤの上面から離反すべく前記基台上面に設けた操作レバーとから構成されることを特徴とする請求項１に記載の穴あけ綴じ具。
【考案の詳細な説明】
【技術分野】
【０００１】
本考案は、基台上面に位置決めされた用紙の所定位置に穴あけと紙綴じを、同時にまたは選択的に行うようにした穴あけ綴じ具に関する。
【背景技術】
【０００２】
従来より、1台の穴あけ綴じ具で多数枚の用紙の穴あけ又は紙綴じ作業をそれぞれ独立して行うことができ、さらに単一の紙置台上で穴あけを行った用紙にそのままの状態で紙綴じを行うことができるようにした穴あけ綴じ具が知られてい
る（特許文献１参照）。
【０００３】
この種の穴あけ綴じ具は、紙置き台上には、押し下げ動作により一対のパンチ刃を対応するパンチ穴に対し上下動させて用紙の穴あけを行う穴あけ用ハンドルが回動自在に枢設されると共に、前記紙置き台中央の前方を延長した基台上には、紙綴じを行うベースフレームが固設されて該ベースフレームの前端上部には紙綴じ用ハンドルの先端が枢軸に回動自在に枢設されており、この紙綴じ用ハンドルは、穴あけ用ハンドルの上方へ立ち上げた上端から前方傾斜方向へ伸長するように構成されている。
【０００４】
そして、前記穴あけ綴じ具は、比較的多数枚の用紙の穴あけを行う機構と、紙綴じを行う機構とを単一の紙置き台に一体的に構成してあるため、１台で用紙の穴あけと紙綴じとを独立して、且つ併用して行うことができるようになっており、併用して行う場合は、穴あけ用ハンドルと紙綴じ用ハンドルを同時に作用させることで一対のパンチ刃の中央に紙綴じの綴針が配置されるようになっている。
【０００５】
【特許文献１】特開２００５−１４１５８号公報
【考案の開示】
【考案が解決しようとする課題】
【０００６】
しかしながら、前記の穴あけ綴じ具は、穴あけを行う機構と、紙綴じを行う機構が所定の配置で単一の紙置き台に一体的に固設された構成となっているため、上記のように併用して行う場合は、一対のパンチ刃の中央に紙綴じの綴針が配置されることとなり、用紙の穴あけ位置に対し紙綴じ位置を変えたい場合は、用紙を所望の位置に移動させて個別にハンドル操作を行う必要があり、用紙のサイズが異なる場合などの位置決めが困難で、操作性が悪くなり多量の用紙を扱う場合には作業効率が低下する問題を有していた。
【０００７】
本考案は、このような問題点に着目してなされたもので、穴あけ位置に対し綴じ位置が異なる場合でも切換え作業が簡単にでき、サイズの異なる用紙でも所望の位置で穴あけと紙綴じを同時にまたは選択的に効率良く行うことができる穴あけ綴じ具を提供することを目的とする。
【課題を解決するための手段】
【０００８】
上記目的を達成するために、本考案の請求項１に記載の穴あけ綴じ具は、基台上面に位置決めされた用紙の所定位置に穴あけと紙綴じを、同時にまたは選択的に行うようにした穴あけ綴じ具において、上記基台は、平板矩形状の筐体で構成されて、前記基台上面には幅方向中央に穴あけ具が載置されると共に前記穴あけ具の両側には一対の紙綴じ具がそれぞれ載置されて成り、前記基台両側端に立設した対向する一対のガイド板には、横長作動杆の両端が上下方向に案内支持されるとともに前記穴あけ具ないし一対の紙綴じ具の各操作レバーには、前記作動杆を選択的に把持すべく開閉可能な把持具が設けられ、且つ前記一対の紙綴じ具は、前記基台の幅方向中心に設けた相対移動機構により前記中心に対し相反する方向に移動可能とされるとともに、それらの移動位置は位置決め手段によりロック又はロック解除されるよう構成され、前記各操作レバーの把持具を選択的に開閉操作して前記作動杆との係脱を行い、前記作動杆を上下に揺動操作することで前記各穴あけ具及び幅方向に位置決めされた紙綴じ具を同時に、または個別に操作可能とされるようにしたことを特徴とする穴あけ綴じ具である。
上記の穴あけ綴じ具によれば、一対の紙綴じ具は、相対移動機構により基台の幅方向中心に対し相反する方向に移動可能とされるとともに、それらの移動位置は位置決め手段によりロック又はロック解除され、且つ前記紙綴じ具と穴あけ具の各操作レバーは、把持具の選択的な開閉操作により作動杆を介して同時にまたは単独で操作することができる。
【０００９】
本考案の請求項２に記載の穴あけ綴じ具は、前記相対移動機構が、前記基台内部にあって、該基台の前方中央に回転自在に軸支されたピニオンギヤと、該ピニオンギヤを挟む前後外周に噛合して互いに反対方向に平行移動する一対のラックギヤとから成り、前記一対のラックギヤにはそれぞれ前記各紙綴じ具が止着されていることを特徴とする穴あけ綴じ具である。
上記の穴あけ綴じ具によれば、ピニオンギヤを挟む前後外周に一対のラックギヤが噛合しているので、一対の紙綴じ具は基台の幅方向中心に対し相反する方向に平行移動する。
【００１０】
本考案の請求項３に記載の穴あけ綴じ具は、前記位置決め手段が、少なくとも一方の前記ラックギヤには、前記ピニオンギヤと噛合する面の背面側にも噛合い歯が形成され、該背面側の噛合い歯に係合離脱可能な係合部材と、該係合部材を前記噛合い歯に対し弾力的に押圧付勢する押圧手段と、該押圧手段の付勢力に抗して前記係合部材を前後に揺動操作して前記噛合い歯との係合を解除すべく前記基台上面に設けた操作レバーとから構成されていることを特徴とする穴あけ綴じ具である。
上記の穴あけ綴じ具によれば、押圧手段の付勢力に抗した操作レバーの押圧操作により係合部材から解除された一方のラックギヤは、所定量移動した状態で前記操作レバーの操作を解放することにより押圧手段を介して前記係合部材が背面側の噛合い歯に弾力的に係合する。
【００１１】
本考案の請求項４に記載の穴あけ綴じ具は、前記位置決め手段が、少なくとも一方の前記ラックギヤの上面を押圧手段により弾力的に押圧する押圧部材と、該押圧部材を押圧付勢力に抗して上方に移動し前記ラックギヤの上面から離反すべく前記基台上面に設けた操作レバーとから構成されることを特徴とする穴あけ綴じ具である。
上記の穴あけ綴じ具によれば、操作レバーの解除操作により押圧付勢力に抗して押圧部材を一方のラックギヤの上面から離反させて所定量移動した一方のラックギヤは、操作レバーの操作を解放することにより前記一方のラックギヤの上面は押圧部材により前記押圧手段の押圧付勢力を介して弾力的に押圧される。
【考案の効果】
【００１２】
本考案は以下の効果を奏する。
【００１３】
請求項１に記載の考案によれば、相対移動機構により一対の紙綴じ具が基台の幅方向中心に対し相反する方向に移動可能とされるとともに、それらの移動位置は位置決め手段により位置決めされ、且つ前記紙綴じ具と穴あけ具の各操作レバーが把持具の選択的な開閉操作により作動杆を介して同時にまたは単独で操作されるので、サイズの異なる用紙でも各種パターンの配置で穴あけ及び／又は紙綴じを同時にまたは単独で効率良く行うことができる。
【００１４】
請求項２に記載の考案によれば、一方の紙綴じ具を所定位置に移動することで、他方の紙綴じ具も同時に前記基台の幅方向中心に対し相反する方向に平行移動し、対称位置に正確に位置決めすることができる。
【００１５】
請求項３に記載の考案によれば、所定量移動した一方のラックギヤは、背面側の噛合い歯に係合部材が弾力的に係合するので、相反する方向に平行移動した一対の綴じ具は位置決めされ、その状態を確実に保持することができる。
【００１６】
請求項４に記載の考案によれば、所定量移動した一方のラックギヤは、操作レバーの操作により一方のラックギヤの上面が押圧部材により弾力的に押圧付勢されるようになっているので、簡単な構成で相反する方向に平行移動した一対の綴じ具を容易に位置決めすることができる。
【考案を実施するための最良の形態】
【００１７】
以下に本考案による実施例を示す。
【実施例】
【００１８】
図１には、穴あけ綴じ具１が示されている。図１は、本考案の実施例に係る穴あけ綴じ具の全体斜視図、図２は本考案の実施例に係る穴あけ綴じ具の分解斜視図、図３は穴あけ綴じ具の相対移動機構を示す基台の部分断面斜視図、図４は穴あけ綴じ具の位置決め手段を示す断面図である。
【００１９】
図１において、穴あけ綴じ具１は、基台Ｂ上面に位置決めされた用紙の所定位置に穴あけと紙綴じを、同時にまたは選択的に行うようにしたものであって、上記基台Ｂは、平板矩形状の筐体で構成されて基台Ｂの上面には幅方向中央に穴あけ具Ｐが載置されると共に前記穴あけ具Ｐの両側には一対の紙綴じ具Ｓ１，Ｓ２がそれぞれ載置されている。
【００２０】
前記基台Ｂの両側端に立設した対向する一対のガイド板２ａ，２ｂには、丸棒状の横長作動杆４の両端が上下方向に案内支持されるとともに前記穴あけ具Ｐの操作レバー５には、前記作動杆４を選択的に把持すべく開閉可能な把持具８が設けられ、一対の紙綴じ具Ｓ１，Ｓ２の各操作レバー６ａ，６ｂのそれぞれには、前記作動杆４を選択的に把持すべく開閉可能な把持具１０ａ，１０ｂが設けられている。
【００２１】
詳しくは、前記一対のガイド板２ａ，２ｂには、前記紙綴じ具Ｓ１，Ｓ２の各操作レバー６ａ，６ｂの回動半径と同一半径となる円弧長孔１８ａ，１８ｂが形成されており、これら円弧長孔１８ａ，１８ｂに挿通した一対のガイド板２ａ，２ｂ外側に位置する作動杆４両端の係止溝（不図示）には、止め具としてＣリングが係止されていて前記作動杆４の離脱を防止している。
【００２２】
前記一対の紙綴じ具Ｓ１，Ｓ２は、前記基台Ｂの幅方向中心Ｏに設けた後述する相対移動機構Ｍ（図３参照）により前記中心Ｏに対し相反する方向に移動可能とされるとともに、それらの移動位置は後述する位置決め手段Ｒ（図４参照）によりロック又はロック解除されるよう構成されている。
【００２３】
前記基台Ｂは、図２、図３に示すように矩形状底板１２の前端ないし両側端の周縁に立設した所定高さの板状フレームＦ１，Ｆ２，Ｆ３と、前記底板１２の中間を空けて左右に離間した領域に配設された紙綴じ具支持台１４ａ，１４ｂと、それらの中間の空間領域となす底板１２の前方（図中左側）に配設され前記板状フレームＦ１と同一高さの矩形状立方体の蓋体１５と、前記各紙綴じ具支持台１４ａ，１４ｂ後方領域（図中右側）の底板１２上に配設され前記板状フレームＦ２，Ｆ３と同一高さとなる一対の横長立方体状に形成される用紙載置台１６ａ，１６ｂとから構成されている。
【００２４】
図３、図４に示すように、前記蓋体１５の略中央内部には、前記相対移動機構Ｍが配設されており、この相対移動機構Ｍは、前記底板１２の上面に立設した支持軸４２に回転自在に軸支されたピニオンギヤＰＧと、このピニオンギヤＰＧを挟む前後外周に噛合して互いに反対方向に平行移動する一対のラックギヤＲＧ１，ＲＧ２とから構成されており、これら一対のラックギヤＲＧ１，ＲＧ２は底板１２上面のガイドレール４３上に摺動可能に案内支持されると共に前記各ラックギヤＲＧ１，ＲＧ２の上面には、前記ピニオンギヤＰＧを中心とする対称位置にスペーサブロック３８ａ，３８ｂが固定され、これらスペーサブロック３８ａ，３８ｂは前記一対の紙綴じ具Ｓ１，Ｓ２前方に止着されている。
【００２５】
また、一対の紙綴じ具Ｓ１，Ｓ２の後方にもスペーサブロック４０ａ，４０ｂが止着されており、前方のスペーサブロック３８ａ，３８ｂは、左右の紙綴じ具支持台１４ａ，１４ｂのそれぞれ異なる位相に前記各ラックギヤＲＧ１，ＲＧ２に対応して形成された一対の横長ガイド孔２６ａ，２６ｂに案内可能に挿嵌しており、後方のスペーサブロック４０ａ，４０ｂは、前記紙綴じ具支持台１４ａ，１４ｂ後方の左右に同一軸線上に形成された一対の横長ガイド孔２８に案内可能に挿嵌しており、これによって、紙綴じ具支持台１４ａ，１４ｂ上に載置された一対の紙綴じ具Ｓ１，Ｓ２は、前記ピニオンギヤＰＧを中心として接近、離間可能に円滑に平行移動できるようになっている。
【００２６】
前記位置決め手段Ｒは、前記蓋体１５前方上面の略中央部位に配置されており、Ｌ字型に折曲された垂直な操作部４４ａと水平な係止部４４ｂとから成る操作レバー４４と、前記操作レバー４４の折曲部内側に固着されてその両端が前記蓋体１５上面に設けられた一対のブラケット４５に揺動自在に支持された支軸４６と、この支軸４６の左右に巻回されて一端を前記蓋体１５上面に当接すると共に他端を水平な係止部４４ｂ上面を押圧する付勢力に抗して弾力的に係止し前記操作レバー４４を時計回りに押圧付勢するコイルばね４８と、水平な係止部４４ｂの先端に形成された切欠き溝５２に、上端のフランジ５０ａが係止された状態で挿通支持されて前記一方のラックギヤＲＧ２上面を押圧する位置決めピン５０と、この位置決めピン５０を上下に移動可能に挿通支持すべく前記蓋体１５に装着したガイドブッシュ５４と位置決めピン５０の下端に装着した押圧部材５０ｂとの間に圧縮状態で介装された圧縮ばねＳＰとから構成されている。従って、一対の紙綴じ具Ｓ１，Ｓ２を位置決めする際は、前記操作部４４ａを前記コイルばね４８の付勢力に抗して前方に揺動操作することでラックギヤＲＧ２上面が押圧部材５０ｂの押圧力から開放され、前記操作部４４ａを押圧したまま一対の紙綴じ具Ｓ１，Ｓ２を所望の間隔になるまで相対移動した状態で、前記操作部４４ａを離すとコイルばね４８の付勢力により前記一方のラックギヤＲＧ２上面が押圧されるので一対の紙綴じ具Ｓ１，Ｓ２は正確に位置決めされる。尚、ラックギヤＲＧ２上面は平坦な面で形成されているが、位置決め位置に押圧部材５０ｂを挿嵌するための凹溝を、使用される各種用紙のサイズに合わせて所定間隔毎に形成しても良い。
【００２７】
なお、前述した位置決め手段Ｒは、ラックギヤＲＧ２上面を弾力的に押圧して位置決めした例に付き説明したが、この構成に限定されるものではない。すなわち、前記ピニオンギヤＰＧと噛合する噛合い歯と反対側の面にも図示しない同じ噛合い歯を形成し、この背面側の噛合い歯に、操作レバーを前後に揺動操作して係合部材を係合離脱可能に設けても良い。この操作レバーは、前記蓋体１５前方上面の略中央部位に配置されており、前記ラックギヤＲＧ２の背面側に形成された噛合い歯に対し前記係合部材を弾力的に押圧付勢する押圧手段（ばね部材など）と、この押圧手段（ばね部材など）の付勢力によって係合部材が前記噛合い歯に対し弾力的に係合するようになっており、前記操作レバーを押圧手段の付勢力に抗して例えば前方に揺動させることで係合部材が前記噛合い歯から離脱するようになっている。
【００２８】
左方の紙綴じ具支持台１４ａ上面に形成された横長ガイド孔２８の後方には中央の空間側領域から短いガイド孔３０が形成されると共に、同じく右方の紙綴じ具支持台１４ｂ上面にも同一軸線上に長いガイド孔３０が形成されている。これら左右のガイド孔３０によって、底板１２上の前記空間側領域に装着した穴あけ具Ｐの用紙のサイズ別側端縁を位置決めするために横移動可能なガイドアーム３２を案内している。なお、穴あけ具Ｐの内部には打抜き片を収容する容器２２が内装されていて手前側から引出せるようになっている。
【００２９】
次に、一対の紙綴じ具Ｓ１，Ｓ２の把持具１０ａ，１０ｂ、並びに穴あけ具Ｐの把持具８に付き、図１及び図５、図６を参照して説明する。図５は綴じ具における操作レバーの把持具の操作説明図、図６は穴あけ具における操作レバーの把持具の操作説明図である。
【００３０】
図１において、紙綴じ具Ｓ１，Ｓ２は、その各操作レバー６ａ，６ｂの先端部にそれぞれ把持具１０ａ，１０ｂが設けられており、これら把持具１０ａ，１０ｂは、図５に示すように先端部が下顎部５５ａと上顎部５５ｂとに上下に分割されていて下顎部５５ａの後端は、上顎部５５ｂの後方にヒンジ５６を介して上下に揺動可能に支持されている。
【００３１】
下顎部５５ａと上顎部５５ｂには、それぞれ対向する把持面が形成されていて
何れか一方の把持面には弾性変形可能なゴム状または樹脂製の板状弾性体６２（例えばスポンジ）が接着されており、前記下顎部５５ａと上顎部５５ｂの把持面には対向する位置にそれぞれ半円形の凹溝６４ａ，６４ｂが形成されている。
【００３２】
前記下顎部５５ａには、四角形状に折曲されたフック５８が回動可能に支持され、上顎部５５ｂの上面には前記フック５８を係合するための係合溝６０が形成されている。従って、前記係合溝６０から前記フック５８を解除した状態では、下顎部５５ａは自重により垂下して作動杆４から開放状態となる。
【００３３】
また、図１において穴あけ具Ｐは、操作レバー５の先端部に把持具８が設けられており、この把持具８は、図６に示すように先端部が下顎部６５ａと上顎部６５ｂとに上下に分割されていて下顎部６５ａの後端は、上顎部６５ｂの後方にヒンジ６６を介して上下に揺動可能に支持されている。
【００３４】
下顎部６５ａと上顎部６５ｂには、それぞれ対向する把持面が形成されていて
何れか一方の把持面には弾性変形可能なゴム状または樹脂製の板状弾性体６２（例えばスポンジ）が接着されており、前記下顎部６５ａと上顎部６５ｂの把持面には対向する位置にはそれぞれ所定長さの半円長形の凹溝７４ａ，７４ｂが形成されている。従って、下顎部６５ａと上顎部６５ｂが閉じた状態では長円形の挿通穴７４となる。長円形の挿通穴７４とした理由は、共通する作動杆４を同時に把持してし様する場合、前記紙綴じ具Ｓ１，Ｓ２の操作レバー６ａ，６ｂと、穴あけ具Ｐの操作レバー５の異なる揺動半径の差を吸収するためである。
【００３５】
前記下顎部６５ａには、四角状に折曲されたフック６８が回動可能に支持され、上顎部６５ｂの上面には前記フック６８を係合するための係合溝７０が形成されている。従って、前記係合溝７０から前記フック６８を解除した状態では、下顎部６５ａは自重により垂下して開放状態となる。
【００３６】
次に、穴あけ具Ｐと紙綴じ具Ｓ１，Ｓ２の操作に付き図７（ａ）、（ｂ）を参照して説明する。図７（ａ）は一対の紙綴じ具の操作レバーのみを操作可能とした状態を示す斜視図、（ｂ）は穴あけ具の操作レバーのみを操作可能とした状態を示す斜視図である。
【００３７】
図７（ａ）において、穴あけ具Ｐは、把持具８が開放した状態にされており、一対の紙綴じ具Ｓ１，Ｓ２は、把持具１０ａ，１０ｂが閉じた状態とされている。ここで、把持具１０ａ，１０ｂを閉じる際は、下顎部６５ａのフック６８を上方に回動させることで板状弾性体６２が圧縮されるので、フック６８は板状弾性体６２の弾発力で上顎部６５ｂ上面の係合溝７０に係合保持され、作動杆４が半円形の凹溝６４ａ，６４ｂを一体化した円形の挿通穴６４で把持される。
【００３８】
すなわち、この状態では一対の紙綴じ具Ｓ１，Ｓ２のみが作動可能な状態となっている。そこで、一対の紙綴じ具Ｓ１，Ｓ２の操作レバー６ａ，６ｂまたは作動杆４を下方に揺動操作すると、この作動杆４を把持している一対の操作レバー６ａ，６ｂは同時に下方に揺動するが、前記穴あけ具Ｐの操作レバー５は、把持具８が開放されて作動杆４の拘束力が解除されているため、一対の紙綴じ具Ｓ１，Ｓ２のみが同時に作動するので用紙ＰＡの予め設定された２箇所の離間位置が綴針Ｎで綴じられる。なお、綴針Ｎによる離間した紙綴じ位置の間隔は、一対の紙綴じ具Ｓ１，Ｓ２を手動操作により互いに幅方向に相対移動することで決定することができる。    
【００３９】
これら紙綴じ具Ｓ１，Ｓ２の幅方向の移動量は、一方（左側）の用紙載置台１６ａ上面に示された位置目盛り３５に一方の紙綴じ具Ｓ１後端に取付けられた指示板３４の目盛り線を合わせることで正確に設定することができる。
【００４０】
図７（ｂ）において、一対の紙綴じ具Ｓ１，Ｓ２は、把持具１０ａ，１０ｂが開放した状態にされており、穴あけ具Ｐは、把持具８が閉じた状態とされている。
ここで、把持具８を閉じる際は、下顎部５５ａ，５５ｂの各フック５８を上方に回動させることで板状弾性体６２が圧縮変形へされるので、フック５８は板状弾性体６２の弾発力で上顎部５５ｂ上面の係合溝６０にガタが無い状態で係合保持され、作動杆４が半長円形の凹溝７４ａ，７４ｂを一体化した長円形の挿通穴７４で把持される。
【００４１】
すなわち、この状態では穴あけ具Ｐのみが作動可能な状態となっている。そこで、操作レバー５または作動杆４を下方に揺動操作すると、この作動杆４を把持している操作レバー５は下方に揺動するが、一対の紙綴じ具Ｓ１，Ｓ２は、把持具１０ａ，１０ｂが開放されて作動杆４の拘束力が解除されているため、穴あけ具Ｐのみが作動するので用紙ＰＡの２箇所に予め規定された間隔でパンチ穴Ｈが穿孔させる。
【００４２】
次に、用紙の穴あけ位置及び／又は綴じ位置パターンの各種組合わせに付き図８の（ａ）〜（ｇ）を参照して説明する。図８は用紙の穴あけ位置及び／又は綴じ位置パターンを示し、（ａ）は穴あけ位置を示す配置図、（ｂ）は穴あけ及び紙綴じを併用した配置図、（ｃ）は一対の紙綴じ位置を示す配置図、（ｄ）は用紙の右隅に配置された紙綴じ位置の配置図、（ｅ）は用紙の右隅に配置された紙綴じと穴あけを併用した配置図、（ｆ）は用紙の左隅に配置された紙綴じと穴あけを併用した配置図、（ｇ）は用紙の左隅に配置された紙綴じ位置の配置図である。
【００４３】
図８（ａ）に示す配置図では、図７（ｂ）に示すように穴あけ具Ｐの把持具８を閉じて作動杆４を把持し、一対の紙綴じ具Ｓ１，Ｓ２の把持具１０ａ，１０ｂを開放した状態で基台Ｂの幅方向中心に複数枚数の用紙ＰＡの中心を位置決めし、操作レバー５または作動杆４を下方に揺動操作することで、前記用紙ＰＡ先端の中央に規定された間隔で一対のパンチ穴Ｈが穿孔される。
【００４４】
図８（ｂ）に示す配置図では、図７（ｂ）に示すように穴あけ具Ｐの把持具８を閉じて作動杆４を把持すると共に、一対の紙綴じ具Ｓ１，Ｓ２の把持具１０ａ，１０ｂを閉じて作動杆４を把持した状態で基台Ｂの幅方向中心に複数枚数の用紙ＰＡの中心を位置決めし、操作レバー５、一対の操作レバー６ａ，６ｂまたは作動杆４の何れかを下方に揺動操作すると、これらが同時に下方に移動するので前記用紙ＰＡ先端の中央に規定された間隔で一対のパンチ穴Ｈが穿孔され、同時に両パンチ穴Ｈの外側が一対の綴針Ｎで綴じられる。この場合の紙綴じ具Ｓ１，Ｓ２は、図１に示すように前記蓋体１５の両側に位置決めされている。
【００４５】
図８（ｃ）に示す配置図では、図７（ａ）に示すように一対の紙綴じ具Ｓ１，Ｓ２の把持具１０ａ，１０ｂを閉じて作動杆４を把持し、穴あけ具Ｐの把持具８を開放した状態で基台Ｂの幅方向中心に複数枚数の用紙ＰＡの中心を位置決めし、
一対の操作レバー６ａ，６ｂまたは作動杆４を下方に揺動操作すると、これらが同時に下方に移動するので前記用紙ＰＡ先端の中央が一対の綴針Ｎで綴じられる。
【００４６】
図８（ｄ）に示す配置図では、何れか一方の紙綴じ具Ｓ１またはＳ２を最外側に移動すると、前記相対移動機構Ｍの作用で両紙綴じ具Ｓ１，Ｓ２が同期して外側に移動する。
【００４７】
図７（ａ）に示すように穴あけ具Ｐの把持具８を開放すると共に、一方（左側）の紙綴じ具Ｓ１の把持具１０ａを開放した状態で基台Ｂの幅方向中心に複数枚数の用紙ＰＡの中心を位置決めし、他方（右側）の紙綴じ具Ｓ２の把持具１０ｂを閉じたまま作動杆４を把持した状態で、右側の操作レバー６ｂまたは作動杆４を下方に揺動操作すると下方に移動するので前記用紙ＰＡ先端の右隅が綴針Ｎで綴じられる。
【００４８】
図８（ｅ）に示す配置図では、図７（ｂ）に示すように穴あけ具Ｐの把持具８を閉じて作動杆４を把持すると共に一方（左側）の紙綴じ具Ｓ１の把持具１０ａを開放し、他方（右側）の紙綴じ具Ｓ２の把持具１０ｂを閉じたまま作動杆４を把持した状態で基台Ｂの幅方向中心に複数枚数の用紙ＰＡの中心を位置決めし、
操作レバー５、右側の操作レバー６ｂまたは作動杆４を下方に揺動操作すると、これらが同時に下方に移動するので用紙ＰＡ先端の中央に規定された間隔で一対のパンチ穴Ｈが穿孔され、同時に用紙ＰＡ先端の右隅が綴針Ｎで綴じられる。
【００４９】
図８（ｆ）に示す配置図では、図７（ｂ）に示すように穴あけ具Ｐの把持具８を閉じて作動杆４を把持すると共に他方（右側）の紙綴じ具Ｓ２の把持具１０ｂを開放し、一方（左側）の紙綴じ具Ｓ１の把持具１０ａを閉じたまま作動杆４を把持した状態で基台Ｂの幅方向中心に複数枚数の用紙ＰＡの中心を位置決めし、
操作レバー５、左側の操作レバー６ａまたは作動杆４を下方に揺動操作すると、
これらが同時に下方に移動するので用紙ＰＡ先端の中央に規定された間隔で一対のパンチ穴Ｈが穿孔され、同時に用紙ＰＡ先端の左隅が綴針Ｎで綴じられる。
【００５０】
図８（ｇ）に示す配置図では、図７（ａ）に示すように穴あけ具Ｐの把持具８を開放すると共に、最外側に移動した他方（右側）の紙綴じ具Ｓ２の把持具１０ｂを開放した状態で基台Ｂの幅方向中心に複数枚数の用紙ＰＡの中心を位置決めし、一方（左側）の紙綴じ具Ｓ１の把持具１０ａを閉じたまま作動杆４を把持した状態で、左側の操作レバー６ａまたは作動杆４を下方に揺動操作すると下方に移動するので前記用紙ＰＡ先端の左隅が綴針Ｎで綴じられる。なお、前述した用紙の穴あけ位置及び／又は綴じ位置パターンの各種組合わせでは、用紙ＰＡを基台Ｂの幅方向中心に複数枚数の用紙ＰＡの中心を位置決めした状態における配置パターンであって、例えば、パンチ穴Ｈの穿孔位置や紙綴じ位置を上記以外の位置に変える場合は、用紙ＰＡを必要な量横移動させることで可能となる。
【００５１】
上述した穴あけ綴じ具によれば、用紙ＰＡのパンチ穴Ｈの穿孔位置に対し綴針Ｎによる綴じ位置が異なる場合でも移動・位置決め作業が簡単にでき、また
作動杆４を各把持具８、６ａ，６ｂで選択的に把持することで穴あけと紙綴じ作業を簡単に切換えることができ、サイズの異なる用紙ＰＡでも所望の位置に穴あけと紙綴じを同時にまたは選択的に効率良く行うことができる。
【００５２】
なお、上述の形態は本考案の好適な形態の一例ではあるが、これに限定されるものではなく本考案の要旨を逸脱しない範囲において種々変形実施可能である。
【図面の簡単な説明】
【００５３】
【図１】本考案の実施例に係る穴あけ綴じ具の全体斜視図である。
【図２】本考案の実施例に係る穴あけ綴じ具の分解斜視図である。
【図３】穴あけ綴じ具の相対移動機構を示す基台の部分断面斜視図である。
【図４】穴あけ綴じ具の位置決め手段を示す断面図である。
【図５】綴じ具における操作レバーの把持具の操作説明図である。
【図６】穴あけ具における操作レバーの把持具の操作説明図である。
【図７】（ａ）は一対の紙綴じ具の操作レバーのみを操作可能とした状態を示す斜視図、（ｂ）は穴あけ具の操作レバーのみを操作可能とした状態を示す斜視図である。
【図８】用紙の穴あけ位置及び／又は綴じ位置パターンを示し、（ａ）は穴あけ位置を示す配置図、（ｂ）は穴あけ及び紙綴じを併用した配置図、（ｃ）は一対の紙綴じ位置を示す配置図、（ｄ）は用紙の右隅に配置された紙綴じ位置の配置図、（ｅ）は用紙の右隅に配置された紙綴じと穴あけを併用した配置図、（ｆ）は用紙の左隅に配置された紙綴じと穴あけを併用した配置図、（ｇ）は用紙の左隅に配置された紙綴じ位置の配置図である。
【符号の説明】
【００５４】
１                      穴あけ綴じ具
２ａ，２ｂ              ガイド板
４                      作動杆
５，６ａ，６ｂ          操作レバー
８                      把持具
１０ａ，１０ｂ          把持具
１２                    底板
１４ａ，１４ｂ          紙綴じ具支持台
１５                    蓋体
１６ａ，１６ｂ          用紙載置台
１８ａ，１８ｂ          円弧長孔
２２                    容器
２６ａ，２６ｂ，２８    横長ガイド孔
３０                    ガイド孔
３２                    ガイドアーム
３４                    指示板
３５                    位置目盛り
３８ａ，３８ｂ          スペーサブロック
４０ａ，４０ｂ          スペーサブロック
４２                    支持軸
４３                    ガイドレール
４４                    操作レバー
４４ａ                  操作部
４４ｂ                  係止部
４５                    ブラケット
４６                    支軸
４８                    コイルばね
５０                    ピン
５０ａ                  フランジ
５０ｂ                  押圧部材
５２                    切欠き溝
５４                    ガイドブッシュ
５５ａ                  下顎部
５５ｂ                  上顎部
５６，６６              ヒンジ
５８                    フック
６０                    係合溝
６２                    板状弾性体
６４                    挿通穴
６４ａ，６４ｂ          凹溝
６５ａ                  下顎部
６５ｂ                  上顎部
６８                    フック
７０                    係合溝
７４                    挿通穴
７４ａ，７４ｂ          凹溝
Ｂ                      基台
Ｆ１，Ｆ２，Ｆ３        板状フレーム
Ｈ                      パンチ穴
Ｍ                      相対移動機構
Ｎ                      綴針
Ｐ                      穴あけ具
ＰＡ                    用紙
ＰＧ                    ピニオンギヤ
Ｒ                      位置決め手段
ＲＧ１，ＲＧ２          ラックギヤ
Ｓ１，Ｓ２              紙綴じ具
【図１】
0003124270.tif 000003
【図２】
0003124270.tif 000004
【図３】
0003124270.tif 000005
【図４】
0003124270.tif 000006
【図５】
0003124270.tif 000007
【図６】
0003124270.tif 000008
【図７】
0003124270.tif 000009
【図８】
0003124270.tif 000010